(57)【要約】【課題】タッチパネルに表示されるボタンの大きさを変更したときに、ユーザーによる誤操作を抑制できる表示装置を提供すること。【解決手段】複合機１（表示装置）は、タッチパネル４と、タッチパネル４に複数のボタン３１〜３３を表示するとともに各ボタン３１〜３３の周りに各ボタン３１〜３３に連続する感知エリア４１〜４３を設定する。複合機１は、ボタン３１〜３３または各ボタン３１〜３３の感知エリア４１がタッチされた場合に、ボタン３１〜３３に対応する処理を実行させる処理制御部１１と、ボタン３１〜３３の大きさを変更するとともに、ボタン３１〜３３を大きくすると各ボタン３１〜３３の面積に対する感知エリア４１の面積比を小さくし、ボタン３１〜３３を小さくすると面積比を大きくする変更部１２と、を有する。【選択図】図６
2018124613.tif 000002
【特許請求の範囲】
【請求項１】
タッチパネルと、
前記タッチパネルにボタンを表示するとともにボタンの周りに当該ボタンに連続する感知エリアを設定し、前記ボタンまたは当該ボタンの感知エリアがタッチされた場合に、前記ボタンに対応する処理を実行させる制御部と、
前記ボタンの大きさを変更するとともに、前記ボタンを大きくすると当該ボタンの面積に対する前記感知エリアの面積比を小さくし、前記ボタンを小さくすると前記面積比を大きくする変更部と、を有することを特徴とする表示装置。
【請求項２】
前記ボタンの大きさに応じて当該ボタンに対応する前記処理の機能を変更させる機能部を備えることを特徴とする請求項１に記載の表示装置。
【請求項３】
前記変更部は、前記ボタンの大きさが所定以上の場合には、前記面積比を一定に保つことを特徴とする請求項１または２に記載の表示装置。
【請求項４】
前記変更部は、前記ボタンを大きくするのに伴って前記ボタンの外周縁から前記感知エリアの外周縁までの距離である感知エリア厚みを薄くし、前記ボタンを小さくするのに伴って前記感知エリア厚みを厚くすることを特徴とする請求項１から３のうちのいずれか一項に記載の表示装置。
【請求項５】
前記制御部は、前記タッチパネル内にボタン表示領域を設定しており、
前記ボタン表示領域内に複数の前記ボタンを表示し、
前記変更部は、前記複数のボタンのうちの一つのボタンを大きくしたときに、他のボタンを小さくして、前記複数のボタンの全てを前記ボタン表示領域内に表示することを特徴とする請求項１から４のうちのいずれか一項に記載の表示装置。
【請求項６】
前記ボタンには、文字が表示されており、
前記変更部は、前記ボタンの大きさに応じて当該ボタンに表示される文字の大きさを変更することを特徴とする請求項１から５のうちのいずれか一項に記載の表示装置。
【請求項７】
コンピューターが読取可能な表示プログラムであって、
ボタンを表示させる機能と、
前記ボタンの周りに当該ボタンに連続して感知エリアを設け、前記ボタンまたは当該ボタンの感知エリアがタッチされた場合に、前記ボタンに対応する処理を実行させる機能と、
前記ボタンを大きくすると当該ボタンの面積に対する前記感知エリアの面積比を小さくし、前記ボタンを小さくすると前記面積比を大きくする機能と、
を前記コンピューターに実行させることを特徴とする表示プログラム。
【発明の詳細な説明】
【技術分野】
【０００１】
本発明は、操作用のボタンを画面に表示するタッチパネルを備える表示装置、およびコンピューターにボタンを表示させる機能を実行させる表示プログラムに関する。
【背景技術】
【０００２】
タッチパネルを備える装置は特許文献１、２に記載されている。特許文献１、２の装置はタッチパネルにＧＵＩ部品（ＧＵＩ：Ｇｒａｐｈｉｃａｌ  Ｕｓｅｒ  Ｉｎｔｅｒｆａｃｅ）である複数のボタンを表示し、ユーザーが複数のボタンのうちの一つのボタンをタッチすると、タッチしたボタンに予め割り当てられた処理を実行する。これらの文献の装置では、ユーザーが個々のボタンをタッチした操作回数を集計しており、タッチした回数の多いボタンを、他のボタンよりも大きく表示する。
【先行技術文献】
【特許文献】
【０００３】
【特許文献１】特開２０１１−１４５７６９号公報
【特許文献２】特開２００５−１２３８６６号公報
【発明の概要】
【発明が解決しようとする課題】
【０００４】
タッチパネルに表示されたボタンの周囲には、ボタンを包囲する感知エリアが設けられている場合がある。このような感知エリアはユーザーの操作性を考慮して設けられたものであり、ユーザーによるタッチパネルへのタッチ位置がボタンから僅かに外れた場合でも、タッチ位置が感知エリア内にあるときには、ボタンがタッチされた場合と同様の処理が行なわれるように制御される。ここで、タッチパネルに表示するボタンの大きさを変更する場合には、ボタンの大きさの変更に伴って感知エリアの大きさを変化させなければ、ユーザーの誤操作を招く可能性がある。
【０００５】
本発明の課題は、このような点に鑑みて、タッチパネルに表示されるボタンの大きさを変更したときに、良好な操作性を持った表示装置を提供することにある。また、コンピューターにより表示させるボタンの大きさを変更したときに、良好な操作性を持たせることができる表示プログラムを提案することにある。
【課題を解決するための手段】
【０００６】
上記の課題を解決するために、本発明の表示装置は、タッチパネルと、前記タッチパネルにボタンを表示するとともにボタンの周りに当該ボタンに連続する感知エリアを設定し、前記ボタンまたは当該ボタンの感知エリアがタッチされた場合に、前記ボタンに対応する処理を実行させる制御部と、前記ボタンの大きさを変更するとともに、前記ボタンを大きくすると当該ボタンの面積に対する前記感知エリアの面積比を小さくし、前記ボタンを小さくすると前記面積比を大きくする変更部と、を有することを特徴とする。
【０００７】
本発明によれば、タッチパネルに表示されたボタンが大きくなると、当該ボタンの面積に対する感知エリアの面積比が小さくなる。すなわち、ボタンが大きくなると、ユーザーは所望の処理が割り当てられたボタンをタッチしやすくなる。従って、ボタンを拡大した場合には、ボタンに対する感知エリアの面積比を小さくして、ユーザーがボタンから外れた位置をタッチした場合には処理が実行されないようにすれば、ユーザーの意図しない処理が実行されることを防止できる。一方、タッチパネルに表示されたボタンが小さくなると、当該ボタンの面積に対する感知エリアの面積比が大きくなる。すなわち、ボタンを縮小した場合には、ユーザーは所望の処理が割り当てられたボタンをタッチし難くなる。従って、ボタンを縮小した場合には、ボタンに対する感知エリアの面積比を大きくして、ユーザーがボタンから外れた位置をタッチした場合でも処理が実行されるようにすれば、ユーザーは所望の処理を容易に実行できる。
【０００８】
本発明において、前記ボタンの大きさに応じて当該ボタンに対応する前記処理の機能を変更させる機能部を備えることが望ましい。このようにすれば、一つのボタンに特定の処理の複数の機能を割り当てることができるので、装置の操作性が向上する。
【０００９】
本発明において、前記変更部は、前記ボタンの大きさが所定以上の場合には、前記面積比を一定に保つことが望ましい。このようにすれば、ボタンの大きさが所定以上の場合に、ユーザーによるボタンの操作感を維持できる。
【００１０】
本発明において、ボタンの大きくしたときにボタンの面積に対する感知エリアの面積比を小さくし、ボタンを小さくしたときに面積比を大きくするためには、前記変更部は、前記ボタンを大きくするのに伴って前記ボタンの外周縁から前記感知エリアの外周縁までの距離である感知エリア厚みを薄くし、前記ボタンを小さくするのに伴って前記感知エリア厚みを厚くすることが望ましい。
【００１１】
本発明において、前記制御部は、前記タッチパネル内にボタン表示領域を設定しており、前記ボタン表示領域内に複数の前記ボタンを表示し、前記変更部は、前記複数のボタンのうちの一つのボタンを大きくしたときに、他のボタンを小さくして、前記複数のボタンの全てを前記ボタン表示領域内に表示することが望ましい。このようにすれば、限られたボタン表示領域の中で、ユーザーが頻繁にタッチするボタンを大きくして目立たせることができるので、ユーザーによる誤操作を抑制しやすい。また、拡大したボタンを除く他のボタンは小さくなるが、消えることなくボタン表示領域内表示される。従って、ボタンの大きさを変更する前後で、ボタン表示領域内のボタンの操作によって行うことができる処理の数が変化することがない。
【００１２】
本発明において、前記ボタンには、文字が表示されており、前記変更部は、前記ボタンの大きさに応じて当該ボタンに表示される文字の大きさを変更することが望ましい。このようにすれば、大きくしたボタンと他のボタンとを識別することがより容易となるので、ユーザーによる誤操作をより抑制しやすい。
【００１３】
次に、本発明は、コンピューターが読取可能な表示プログラムであって、ボタンを表示させる機能と、前記ボタンの周りに当該ボタンに連続して感知エリアを設け、前記ボタンまたは当該ボタンの感知エリアがタッチされた場合に、前記ボタンに対応する処理を実行させる機能と、前記ボタンを大きくすると当該ボタンの面積に対する前記感知エリアの面積比を小さくし、前記ボタンを小さくすると前記面積比を大きくする機能と、を前記コンピューターに実行させることを特徴とする。
【００１４】
本発明によれば、コンピューターにより表示されたボタンが大きくなると、当該ボタンの面積に対する感知エリアの面積比が小さくなる。すなわち、ボタンが大きくなると、ユーザーは所望の処理が割り当てられたボタンをタッチしやすくなる。従って、ボタンを拡大した場合には、ボタンに対する感知エリアの面積比を小さくして、ユーザーがボタンから外れた位置をタッチした場合には処理が実行されないようにすれば、ユーザーの意図しない処理が実行されることを防止できる。一方、コンピューターにより表示されたボタンが小さくなると、当該ボタンの面積に対する感知エリアの面積比が大きくなる。すなわち、ボタンを縮小した場合には、ユーザーは所望の処理が割り当てられたボタンをタッチし難くなる。従って、ボタンを縮小した場合には、ボタンに対する感知エリアの面積比を大きくして、ユーザーがボタンから外れた位置をタッチした場合でも処理が実行されるようにすれば、ユーザーは所望の処理を容易に実行できる。
【図面の簡単な説明】
【００１５】
【図１】本発明を適用した複合機のブロック図である。
【図２】初期状態の操作画面の説明図である。
【図３】ボタンの面積と感知エリアの面積との関係を示すグラフである。
【図４】第１ボタンを大きくした操作画面の説明図である。
【図５】第１ボタンを最大にした操作画面の説明図である。
【図６】第１ボタンを最小にした操作画面の説明図である。
【図７】ボタンの拡縮で機能を変更する場合の操作画面の説明図である。
【発明を実施するための形態】
【００１６】
以下に、図面を参照して、本発明を適用した表示装置の実施形態である複合機を説明する。
【００１７】
図１は本発明を適用した複合機のブロック図である。本例の複合機１（表示装置）はプリンター機能およびコピー機能を備えるものである。複合機１は、印刷機構２および光学式のスキャナーユニット３と、これらを収容する筐体と、筐体の所定位置に設けられたタッチパネル４とを備える。タッチパネル４は、操作画面を表示する画像表示部５と、画像表示部５の画面上に配置された位置入力部６を備える。位置入力部６は、画像表示部５に表示された操作画面上のユーザーのタッチ位置を検出する。画像表示部５としては、液晶表示装置（ＬＣＤ）などが用いられる。位置入力部６としては、例えば、静電容量式や光学式等のタッチパネルを用いることができる。
【００１８】
また、複合機１は、印刷機構２およびスキャナーユニット３を制御する制御部８と、ネットワークを介して他の装置と通信を行うためのインターフェース部９を備える。制御部８は印刷機能を実現する。すなわち、制御部８はインターフェース部９を介して受信した印刷ジョブデータに基づいて印刷機構２を制御し、印刷ジョブデータで指示された内容を印刷する印刷処理を行う。また、制御部８はコピー機能を実現する。すなわち、制御部８は、タッチパネル４からの操作入力に基づき、スキャナーユニット３で原稿をスキャンして生成した画像データを印刷機構２で印刷することにより原稿をコピーするコピー処理を行う。なお、複合機１は他の機能を備えていても良い。例えば、スキャナーユニット３で原稿をスキャンして生成した画像データをタッチパネル４から入力された送信先に送信するＦＡＸ機能を備えていてもよい。
【００１９】
制御部８は、プロセッサー、ＲＯＭ、ＲＡＭを備える。プロセッサーとしては、ＣＰＵやＡＳＩＣや信号処理回路等のうちの１つ又は複数を備えていてもよい。以下ではＣＰＵを備えているものとする。あるいは、制御部８は受信したデータや原稿をスキャンしたデータを蓄積するＨＤＤを備えていても良い。
【００２０】
制御部８はＲＯＭに記憶された制御プログラム（表示プログラム）が読み取られてＣＰＵで実行されることにより、処理制御部１１（制御部）と変更部１２とを備えるものとなる。換言すれば、制御プログラムは、制御部８を、処理制御手段（処理制御部１１）と変更手段（変更部１２）とに機能させる。
【００２１】
処理制御部１１は、タッチパネル４内の予め設定したボタン表示領域２５内にＧＵＩ部品（ＧＵＩ：Ｇｒａｐｈｉｃａｌ  Ｕｓｅｒ  Ｉｎｔｅｒｆａｃｅ）である複数のボタン３１〜３３を表示する。ボタン表示領域２５はタッチパネル４の左右方向に延びる帯状の矩形領域である。ボタン表示領域２５に表示される各ボタン３１〜３３には予め処理が割り当てられている。
【００２２】
図２は処理制御部１１がタッチパネル４に表示する操作画面の例である。図２に示す操作画面３５では、ボタン表示領域２５内に、左側から右側に向かって一列に３つのボタン３１〜３３が表示される。左端に位置する第１ボタン３１には印刷処理が割り当てられている。第１ボタン３１の中央部分には「Ｐｒｉｎｔ」という文字が表示されている。中央に位置する第２ボタン３２には設定処理が割り当てられている。第２ボタン３２の中央部分には「Ｓｅｔｕｐ］という文字が表示されている。右端に位置する第３ボタン３３にはメニュー表示処理が割り当てられている。第３ボタン３３には［Ｍｅｎｕ」という文字が表示されている。設定処理は、印刷処理やコピー処理における印刷部数など、各処理の機能を設定するための設定画面を表示する処理である。メニュー表示処理は、複合機１の他の機能や処理を選択するためのメニュー画面を表示する処理である。
【００２３】
また、処理制御部１１は、ボタン表示領域２５内において、各ボタン３１〜３３の周りに当該ボタン３１〜３３に連続する感知エリア４１〜４３を設定する。各感知エリア４１〜４３は各ボタン３１〜３３を包囲する領域であり、その輪郭は各ボタン３１〜３３の形状と対応する形状である。さらに、処理制御部１１は、ボタン３１〜３３または当該ボタン３１〜３３の感知エリア４１〜４３がタッチされた場合に、ボタン３１〜３３に割り当てられた処理と同じ処理（ボタン３１〜３３に対応する処理）を複合機１に実行させる。
【００２４】
変更部１２は、ユーザーによるピンチ操作に基づいてボタン表示領域２５内のボタン３１〜３３の大きさを変更する。また、変更部１２は、ユーザーによるピンチ操作が終了すると、次にピンチ操作が行われるまで、変更したボタン３１〜３３の大きさを維持する。
【００２５】
ここで、ピンチ操作とは、ユーザーがタッチパネル４上でタッチした２点の間隔を狭めたり、拡げたりする操作である。変更部１２は、ユーザーがタッチパネル４上における各ボタン３１〜３３上の２点をタッチした状態で２点の間隔が広げられると、当該ボタン３１〜３３を大きくし、２点の間隔が狭められると当該ボタン３１〜３３を小さくする。なお、ボタン表示領域２５内における各ボタン３１〜３３の最大の大きさ、および、最小の大きさは予め設定されている。従って、ボタン３１〜３３の大きさが最大或いは最小に達した場合には、更にピンチ操作が継続された場合でも、変更部１２はボタン３１〜３３の大きさを最大或いは最小に維持する。ここで、図２に示す各ボタン３１〜３３の大きさは、初期状態における各ボタン３１〜３３の大きさであり、各ボタン３１〜３３の基準の大きさである。
【００２６】
また、変更部１２は、各ボタン３１〜３３が所定の大きさとなるまでは、各ボタン３１〜３３を大きくするのに伴って、各ボタン３１〜３３の面積に対する感知エリア４１〜４３の面積比を小さくし、各ボタン３１〜３３を小さくするのに伴って、各ボタン３１〜３３の面積に対する感知エリア４１〜４３の面積比を大きくする。本例では、変更部１２は、ボタン３１〜３３を大きくするのに伴って、ボタン３１〜３３の左右の外周縁部分から感知エリア４１〜４３の左右の外周縁部分までの距離である感知エリア厚みＷ１およびボタン３１〜３３の上下の外周縁部分から感知エリア４１〜４３の上下の外周縁部分までの距離である感知エリア厚みＷ２を薄くし、これにより面積比を変更する。また、変更部１２は、ボタン３１〜３３を小さくするのに伴って感知エリア４１〜４３の感知エリア厚みＷ１、Ｗ２を厚くし、これにより面積比を変更する。さらに、変更部１２は、各ボタン３１〜３３の大きさが所定の大きさ以上となると、各ボタン３１〜３３の面積に対する感知エリア４１〜４３の面積比を維持する。図３は各ボタン３１〜３３の面積と感知エリア４１〜４３の面積との関係を示すグラフである。横軸が各ボタン３１〜３３の面積であり、縦軸が各感知エリア４１〜４３の面積である。ここで、所定の大きさは、例えば、基準の大きさである。
【００２７】
さらに、変更部１２は、各ボタン３１〜３３の大きさに応じて各ボタン３１〜３３に表示される文字の大きさを変更する。すなわち、変更部１２は、各ボタン３１〜３３を大きくするのに伴って表示されている文字を大きくし、各ボタン３１〜３３を小さくするのに伴って表示されている文字を小さくする。
【００２８】
これに加えて、変更部１２は、ピンチ操作に基づいてボタン表示領域２５内に表示された３のボタン３１〜３３のうちの一つのボタン３１〜３３を大きくしたときに他のボタン３１〜３３を小さくし、これにより、３つのボタン３１〜３３の全てがボタン表示領域２５内に表示されるようにする。また、変更部１２は、他のボタン３１〜３３を小さくする際に、他のボタン３１〜３３の各感知エリア４１〜４３がボタン表示領域２５内に確保されるまで、他のボタン３１〜３３を小さくする。なお、この際、感知エリア４１〜４３が重畳しない範囲でとり得る最大のサイズになるように他のボタン３１〜３３の大きさを決定する。また、他のボタン３１〜３３どうしは、大きさの比率を一定に保ったまま大きさを変える。
【００２９】
（ボタンの大きさの変更）
図４は第１ボタン３１を基準の大きさよりも拡大した場合の操作画面３５の説明図である。図５は第１ボタン３１を最大の大きさとした場合の操作画面３５の説明図である。図６は第１ボタン３１の大きさを最小の大きさとした場合の操作画面３５の説明図である。
【００３０】
複合機１が初期状態のときには、複合機１に電源が投入されてタッチパネル４が起動すると、タッチパネル４は図２に示す操作画面３５を表示する。操作画面３５には、第１ボタン３１、第２ボタン３２および第３ボタン３３が表示される。各ボタン３１〜３３の周囲にはそれぞれ感知エリア４１〜４３が設けられている。各ボタン３１〜３３は基準の大きさであり、それらの形状は同一である。また、各ボタン３１〜３３の感知エリア４１〜４３は大きさおよび形状が同一である。
【００３１】
ここで、ユーザーが、操作画面３５の第１ボタン３１上の２点をタッチし、タッチした２点の間隔を拡げるピンチ操作（ピンチアウト）を行うと、図４に示すように、変更部１２は、ピンチ操作に伴って第１ボタン３１を基準の大きさよりも大きくする。また、変更部１２は、第１ボタン３１に表示されている文字を、第１ボタン３１の拡大とともに大きくする。さらに、変更部１２は、第１ボタン３１の拡大とともに当該第１ボタン３１の感知エリア４１を大きくする。ここで、変更部１２は、第１ボタン３１の面積に対する第１ボタン３１の感知エリア４１の面積比を一定に維持しながら第１ボタン３１および第１ボタン３１の感知エリア４１を大きくする。
【００３２】
また、変更部１２は、第１ボタン３１を拡大した場合には、他のボタン（第２ボタン３２および第３ボタン３３）を小さくし、これによりボタン表示領域２５内に３つのボタン３１〜３３の全てを表示する。小さくした２つのボタン３２、３３の各感知エリア４２、４３はボタン表示領域２５内に確保されている。さらに、変更部１２は、第２ボタン３２を縮小する際に、感知エリア４２の感知エリア厚みＷ１、Ｗ２を厚くして、第２ボタン３２の面積に対する第２ボタン３２の面積比を大きくする。また、変更部１２は、第３ボタン３３を縮小する際に、感知エリア４３の感知エリア厚みＷ１、Ｗ２を厚くして、第３ボタン３３の面積に対する第３ボタン３３の感知エリア４３の面積比を大きくする。
【００３３】
このように、本例では、ユーザーが頻繁にタッチする第１ボタン３１などの特定のボタンを拡大して、特定のボタン（第１ボタン３１）を目立たせることができる。これにより複合機１の操作性が向上するので、ユーザーの誤操作を抑制できる。また、第１ボタン３１が基準の大きさよりも大きくなる場合には、第１ボタン３１の面積に対する第１ボタン３１の感知エリア４１の面積比は一定に維持される。従って、第１ボタン３１を拡大した場合でも、ユーザーによる第１ボタン３１の操作感を維持できる。さらに、拡大した第１ボタンを除く他のボタン（第２ボタン３２および第３ボタン３３）は小さくなるが、消えることなくボタン表示領域２５内に表示されており、操作が可能である。従って、第１ボタン３１の大きさを変更する前後で、操作画面３５から行うことができる処理の数が変化することはない。
【００３４】
さらに、第１ボタン３１が大きくなると第１ボタン３１の文字も大きくなる。従って、大きくした第１ボタン３１とボタン（第２ボタン３２および第３ボタン３３）とを識別することがより容易となる。よって、ユーザーによる誤操作をより抑制できる。
【００３５】
なお、図５に示すように、第１ボタン３１が最大の大きさとされた場合には、第１ボタン３１の外周縁における上側外周縁部分と下側外周縁部分とがボタン表示領域２５の外周縁に接する状態となる。従って、第１ボタン３１を最大の大きさにするまでの間に、感知エリア４１において第１ボタン３１の上側外周縁部分の上方に設けられた上側感知エリア部分４１ａおよび第１ボタン３１の下側外周縁部分の下方に設けられた下側感知エリア部分４１ｂは、ボタン表示領域２５から外周側に外れる。このような場合に、変更部１２は、ボタン表示領域２５から外周側に外れた上側感知エリア部分４１ａおよび下側感知エリア部分４１ｂを無効とする。すなわち、変更部１２は、ボタン表示領域２５から外周側に外れた上側感知エリア部分４１ａおよび下側感知エリア部分４１ｂにユーザーがタッチした場合に、第１ボタン３１に対応する処理が行われないようにする。
【００３６】
ここで、ユーザーが、第１ボタン３１を基準の大きさに戻す場合には、ユーザーは、操作画面３５の第１ボタン３１上の２点をタッチし、タッチした２点の間隔を狭めるピンチ操作（ピンチイン）を行う。これにより、変更部１２は、ピンチ操作に伴って第１ボタン３１を小さくして、基準の大きさとする。また、変更部１２は、第１ボタン３１に表示されている文字を、第１ボタン３１の縮小とともに小さくする。さらに、変更部１２は、第１ボタン３１の縮小とともに感知エリア４１を小さくする。ここで、変更部１２は、第１ボタン３１の面積に対する感知エリア４１の面積比を一定に維持しながら第１ボタン３１および感知エリア４１を小さくする。
【００３７】
次に、ユーザーが、図２に示す操作画面３５の第１ボタン３１上の２点をタッチし、タッチした２点の間隔を狭めるピンチ操作（ピンチイン）を行うと、図６に示すように、変更部１２は、ピンチ操作に伴って第１ボタン３１を基準の大きさよりも小さくする。また、変更部１２は、第１ボタン３１に表示されている文字を、第１ボタン３１の縮小とともに小さくする。さらに、変更部１２は、第１ボタン３１の縮小とともに当該第１ボタン３１の感知エリア４１を小さくする。また、変更部１２は、第１ボタン３１の面積に対する第１ボタン３１の感知エリア４１の面積比を増大させながら、第１ボタン３１を小さくする。ここで、図６に示すように、第１ボタン３１の大きさを基準の大きさよりも小さくした場合には、変更部１２は、第１ボタン３１を小さくするのに伴って感知エリア４１の感知エリア厚みＷ１、Ｗ２を厚くして、第１ボタン３１の面積に対する第１ボタン３１の感知エリア４１の面積比を増大させる。
【００３８】
このように、本例では、第１ボタン３１を縮小して、この第１ボタン３１を目立たなくすることができる。これにより、第１ボタン３１が頻繁に操作するボタンではない場合などには、複合機１の操作性が向上する。従って、ユーザーの誤操作を抑制できる。
【００３９】
また、第１ボタン３１を縮小した場合には、ユーザーは第１ボタン３１をタッチし難くなるが、本例では、第１ボタン３１の感知エリア４１の面積比を大きくするので、ユーザーが第１ボタン３１から外れた位置をタッチした場合でも第１ボタン３１に割り当てられた処理が実行される。従って、ユーザーは所望の処理を容易に実行できる
【００４０】
ここで、ユーザーが、第１ボタン３１を基準の大きさに戻す場合には、ユーザーは、操作画面３５の第１ボタン３１上の２点をタッチし、タッチした２点の間隔を拡げるピンチ操作（ピンチアウト）を行う。これにより、変更部１２は、ピンチ操作に伴って第１ボタン３１を大きくして、基準の大きさとする。これに伴い、感知エリア４１も元の大きさに戻る。また、変更部１２は、第１ボタン３１に表示されている文字を、第１ボタン３１の拡大とともに大きくする。さらに、変更部１２は、第１ボタン３１の拡大とともに当該第１ボタン３１の感知エリア４１を大きくする。ここで、変更部１２は、第１ボタン３１の大きさを基準の大きさに向かって拡大する場合には、第１ボタン３１を大きくするのに伴って感知エリア４１の感知エリア厚みＷ１、Ｗ２を薄くして、第１ボタン３１の面積に対する感知エリア４１の面積比を減少させる。
【００４１】
なお、上記の例では第１ボタン３１の大きさを変更する例を示したが、第２ボタン３２および第３ボタン３３についても、第１ボタン３１と同様に、その大きさを変更できる。また、ボタン３２、３３の大きさの変更に伴って感知エリア４２、４３の大きさが変更される。また、上記の例では、一つのボタン（第１ボタン３１）の大きさを変更する例を示したが、２つのボタンを拡大或いは縮小することもできる。
【００４２】
（変形例）
変更部１２は、図５に示すように、３つのボタン３１〜３３のうちの一つのボタンを小さくしたときに、ボタン表示領域２５内で他の２つのボタンを大きくしてもよい。このようにすれば、２つのボタンを目立たせることができる。
【００４３】
また、ボタンの大きさはピンチ動作によって常に変更できるようにしてもよいが、ボタンサイズ変更モードを設け、このボタンサイズ変更モードで有るときにはピンチ動作によってボタンの大きさを変更でき、通常モードではボタンの大きさを変更できないようにしてもよい。
【００４４】
（その他の実施形態）
制御部８は、図１に点線で示すように、ボタン３１〜３３の大きさに応じてボタン３１〜３３に割り当てられている処理の機能を変更させる機能部１４を備えてもよい。換言すれば、制御プログラムは、制御部８を、処理制御手段と変更手段と機能手段（機能部１４）とに機能させるものとすることができる。図７はボタンの拡縮で機能を変更する場合の操作画面の説明図である。
【００４５】
この場合に、機能部１４は、例えば、第１ボタン３１の大きさに応じて印刷処理における印刷部数（機能）を変更させる。例えば、第１ボタン３１が基準の大きさである場合には、機能部１４は、印刷処理における印刷部数を１部に設定する。第１ボタン３１が最大の大きさとされた場合には、機能部１４は、印刷処理における印刷部数を１０部に設定する。また、図７に示すように、機能部１４は、第１ボタン３１の表示に機能の内容を追加して示す。すなわち、第１ボタン３１が基準の大きさである場合には、図７の上段の図に示すように、「Ｐｒｉｎｔ」という表示の後ろに「（１部）」という機能の内容の表示を追加する。そして、第１ボタン３１が最大の大きさとされた場合には、機能部１４は、図７の下段の図に示すように、「Ｐｒｉｎｔ」という表示の後ろに「（１０部）」という機能の内容の表示を追加する。
【００４６】
ここで、ユーザーが基準の大きさの第１ボタン３１をタッチした場合には、複合機１は印刷処理において１部の印刷を行い、ユーザーが最大の大きさの第１ボタン３１をタッチした場合には、複合機１は印刷処理において１０部の印刷を行う。このようにすれば、各ボタン３１〜３３に複数の機能を割り当てることができるので、複合機１の操作性が向上する。
【００４７】
なお、上記形態は、複合機１である表示装置に本発明を適用したものであったが、本発明はタッチパネル４を備える各種の表示装置に適用することができる。例えば、印刷機能のみを持つ単機能のプリンターや、スキャナー機能のみを持つ単機能のスキャナー装置に本発明を適用することができる。また、タッチパネル４と接続するコンピューター装置やタッチパネル４を備えるタブレット型端末に本発明を適用することができる。例えば、タブレット型の操作端末をプリンターや複合機１とは別体に構成し、操作端末とプリンターや複合機１との間で通信を行って操作することもできる。また、画像表示部はタッチパネル４でなくてもよく、マウスやタッチパッドなどの入力装置を用いて画像表示部に表示される操作画面２０への入力を行うものであってもよい。この場合、タッチはマウスによるクリック等も含むものとして解釈する。
【符号の説明】
【００４８】
１…複合機（表示装置）、２…印刷機構、３…スキャナーユニット、４…タッチパネル、５…画像表示部、６…位置入力部、８…制御部、９…インターフェース部、１１…処理制御部（制御部）、１２…変更部、１４…機能部、２５…ボタン表示領域、３１…第１ボタン、３２…第２ボタン、３３…第３ボタン、３５…操作画面、４１〜４３…感知エリア、４１ａ…上側感知エリア部分、４１ｂ…下側感知エリア部分。
【図１】
2018124613.tif 000003
【図２】
2018124613.tif 000004
【図３】
2018124613.tif 000005
【図４】
2018124613.tif 000006
【図５】
2018124613.tif 000007
【図６】
2018124613.tif 000008
【図７】
2018124613.tif 000009